(57)【特許請求の範囲】
【請求項１】
上方に開口する口部が設けられた液体化粧料容器と、前記口部からの出し入れが可能で、先細筒形状の金属製の口金により軸部先端に筆毛部をかしめ固定した筆軸とを備え、前記容器の口部内側には、前記筆軸の軸部を口部から抜き出す際に軸部に付着した化粧料を扱くワイパーが周設された液体化粧料塗布具において、
前記筆毛部は、獣毛または先端ほど細い形状に形成された合成樹脂製ブリッスルからなる人工毛が多数集束されて、その後端部を結束しその横断面が先端側ほど小さい筆毛結束一体化ユニットで構成され、
前記筆軸の口金の先端側では、周方向の少なくとも一部の領域がテーパ形状に形成されるとともに、前記テーパ形状に形成された領域の肉厚が先端開口側に行くほど内側に向けて徐々に厚肉に形成されて、前記ワイパーの開口面積に対する口金先端開口面積が狭められた液体化粧料塗布具であって、
前記筆軸は、前記口金先端開口部および口金先端開口部から延出する筆毛部の横断面が扁平な形状の平筆で構成され、前記口金先端側における扁平な口金先端開口部の長径方向に対向する領域の厚さが先端側ほど厚肉で、該口金先端側の内周面が前記筆毛部の側面形状に倣う滑らかな形状に形成されたことを特徴とする液体化粧料塗布具。
【請求項２】
上方に開口する口部が設けられた液体化粧料容器と、前記口部からの出し入れが可能で、先細筒形状の金属製の口金により軸部先端に筆毛部をかしめ固定した筆軸とを備え、前記容器の口部内側には、前記筆軸の軸部を口部から抜き出す際に軸部に付着した化粧料を扱くワイパーが周設された液体化粧料塗布具において、
前記筆毛部は、獣毛または先端ほど細い形状に形成された合成樹脂製ブリッスルからなる人工毛が多数集束されて、その後端部を結束しその横断面が先端側ほど小さい筆毛結束一体化ユニットで構成され、
前記筆軸の口金の先端側では、周方向の少なくとも一部の領域がテーパ形状に形成されるとともに、前記テーパ形状に形成された領域の肉厚が先端開口側に行くほど内側に向けて徐々に厚肉に形成されて、前記ワイパーの開口面積に対する口金先端開口面積が狭められた液体化粧料塗布具であって、
前記筆軸は、前記口金先端開口部および口金先端開口部から延出する筆毛部の横断面が円形の丸筆で構成され、前記テーパ形状に形成された口金先端側における全周の厚さが先端側ほど厚肉で、該口金先端側の内周面が前記筆毛部の側面形状に倣う滑らかな形状に形成されたことを特徴とする液体化粧料塗布具。
【発明の詳細な説明】
【０００１】
【発明の属する技術分野】
本発明は、例えばリップグロス塗布具や液体口紅塗布具やアイライナーやエナメル塗布具などの液体化粧料塗布具で、液体化粧料容器の筆軸挿入用の口部内側に、筆軸に付着した化粧料を扱くワイパーが周設された液体化粧料塗布具に係わり、特に、筒形状の金属製の口金によって先端部に筆毛がカシメ固定された筆軸を備えた液体化粧料塗布具に関する。
【０００２】
【従来の技術】
この種の液体化粧料塗布具は、図９に示すように、内部に液体化粧料１を収容した容器２と、この容器２の口部３に挿着できるキャップ６を兼ねる筆軸５とから構成されている。化粧料容器の口部３の内周には、樹脂やゴム等の可撓性部材で構成されたワイパー４が周設されており、化粧料容器２（の口部３）から筆軸５を抜き出す際に、その軸部５ａに付着した化粧料をワイパー４の扱き部４ａが扱き落とすようになっている。筆軸５の軸部５ａ先端には、筒形状の金属製の口金６によって筆毛７がカシメ固定されている。また、筆軸５のワイパー４への挿入がスムーズとなるように、口金６の先端側６ａは縮径されたテーパ形状に構成されている。
【０００３】
【発明が解決しようとする課題】
しかし、前記した従来の塗布具では、ワイパー４（の扱き部４ａ）の開口面積が口金６の外形よりも小さいため、図１０に示すように、筆軸５を化粧料容器２（の口部３）に挿入する際に、筆毛７の側面がワイパー４の開口周縁部と干渉して折れるという、折れ毛７ａが発生し易い。このため、この折れ毛が原因で、筆軸５を化粧料容器２（の口部３）にスムーズに挿入できないとか、化粧料１を適切に塗布できないという問題があった。
【０００４】
発明者は、この折れ毛を回避するには、口金６を細くして筆毛７全体の横断面積を小さくすれば、筆毛７の側面がワイパー４の開口周縁部と干渉しないと考えた。しかし、口金６全体を細くすると、ワイパー４のしごき作用が低下するので、口金６全体の口径は小さくできない。また、口金６全体の厚さを厚くすれば、口金６の内径が小さくなる分、結束できる筆毛７の量が減り、筆毛７に保持できる化粧料も減少して好ましくない。そこで、口金６の先端開口部の厚さを内側に向けて厚くすれば、口金６から延出する筆毛７全体の横断面積が小さくなって、筆毛側面のワイパー４との干渉を回避できるし、筆毛７をカシメる口金６全体の内径が小さくなって筆毛７の結束量が減ることもない、と考えた。
【０００５】
そして、実際に試作品を作って確かめたところ、非常に有効であることが確認されたので、本発明を提案するに至ったものである。
【０００６】
本発明は、前記した従来技術の問題点に鑑みなされたもので、その目的は、筆軸の容器口部への挿入の際に筆毛がワイパーと干渉しない液体化粧料塗布具を提供することにある。
【０００７】
【課題を解決するための手段】
前記目的を達成するために、請求項１，２に係る液体化粧料塗布具においては、上方に開口する口部が設けられた液体化粧料容器と、前記口部からの出し入れが可能で、先細筒形状の金属製の口金により軸部先端に筆毛部をかしめ固定した筆軸とを備え、前記容器の口部内側には、前記筆軸の軸部を口部から抜き出す際に軸部に付着した化粧料を扱くワイパーが周設された液体化粧料塗布具において、前記筆軸の口金の先端側では、周方向の少なくとも一部の領域をテーパ形状に形成するとともに、前記テーパ形状に形成した領域の肉厚が先端開口側に行くほど内側に向けて徐々に厚肉に形成して、前記ワイパーの開口面積に対する口金先端開口面積を狭めるように構成した。
（作用）ワイパーの開口面積に対する口金先端開口面積が狭い分、口金から延出する筆毛部全体の横断面積も小さく、筆軸を液体化粧料容器の口部に挿入する際に、筆毛部側面がワイパー開口周縁部と干渉しにくい。一方、ワイパーの開口面積に対する口金（先端部）外周の占める面積は従来と同じであるため、軸部のワイパー開口への挿入性や筆軸をワイパー開口から抜き出す際のワイパーのしごき作用は従来と変わらない。
【０００８】
また、請求項１，２記載の液体化粧料塗布具においては、前記筆毛部を、獣毛または先端ほど細い形状に形成した合成樹脂製ブリッスルからなる人工毛が多数集束されて、その後端部を結束しその横断面が先端側ほど小さい筆毛結束一体化ユニットで構成するようにした。
（作用）前記筆毛部は、獣毛（獣毛は先端ほど細い形状となっている）または先端ほど細い形状に形成された合成樹脂製ブリッスルからなる人工毛を多数集束して、その後端部を結束した筆毛結束ユニットで構成されており、筆毛部はその先端ほど尖った形状である。このため、第１に、この筆毛部（筆毛結束ユニット）を筆先側から口金に挿入する際に、口金の先端開口部が縮径しているが口金先端側の内周面がテーパ形状の滑らかな面で形成されているため、筆先が口金から所定量だけ突出する口金内所定位置まで筆毛部（筆毛結束ユニット）をスムーズに挿入できる。第２に、口金内に挿入された筆毛部（筆毛結束ユニット）は、例えば接着剤を用いてその後端部が口金内側に接着固定されるが、口金の先端開口側のテーパ形状の滑らかな内周面が筆毛部（筆毛結束ユニット）の外側面全体に均一に圧接するので、筆毛部（筆毛結束ユニット）の口金に対する位置決め保持が容易で、それだけ筆毛部（筆毛結束ユニット）を口金に接着固定する作業が簡単となる。
【０００９】
また、請求項１においては、前記筆軸を、前記口金先端開口部および口金先端開口部から延出する筆毛部の横断面が扁平な形状の平筆で構成し、前記口金先端側における扁平な口金先端開口部の長径方向に対向する領域の厚さを先端側ほど厚肉で、該口金先端側の内周面が前記筆毛部の側面形状に倣う滑らかな形状となるように構成した。
（作用）口金先端開口部の横断面が扁平な形状で、口金から延出する筆毛部全体の横断面も扁平な形状である平筆では、一般に筆毛部全体の扁平な側面が塗布対象面に当たるように使用（塗布）されるため、扁平な筆毛部全体がより一層扁平な形状になる（扁平度が大きくなる）傾向にあるが、口金先端開口部の長手方向の間隔が狭められた分、口金から延出する筆毛部の扁平幅の両端（扁平方向の両側）もそれだけ狭められて、平筆を液体化粧料容器の口部に挿入する際に、筆毛部の側面のワイパー開口周縁部との干渉が回避されて、折れ毛の発生が抑制される。
【００１０】
請求項２においては、前記筆軸を、口金先端開口部および口金先端開口部から延出する筆毛部の横断面が円形の丸筆で構成し、前記テーパ形状に形成した口金先端側における全周の厚さを先端側ほど厚肉で、該口金先端側の内周面が前記筆毛部の側面形状に倣う滑らかな形状となるように構成した。
（作用）丸筆では、口金先端開口部の横断面が円形で、口金から延出する筆毛部全体の横断面も円形であるが、口金先端開口部における筆毛部全体の円形横断面積が縮径されているため、丸筆を液体化粧料容器の開口部に挿入する際に、筆毛部の側面のワイパー開口周縁部との干渉が回避されて、折れ毛の発生が抑制される。
【００１１】
【発明の実施の形態】
次に、本発明の実施の形態を実施例に基づいて説明する。
【００１２】
図１〜図４は本発明の第１の実施例を示し、図１は本発明の第１の実施例である液体化粧料塗布具の縦断面図、図２は口金の拡大縦断面図、図３は口金の水平断面図（図２に示す線III−IIIに沿う断面図）、図４はワイパーと口金開口部の内径の大きさを示す図である。
【００１３】
これらの図において、符号１０は、上方に口部１２が開口し、内部にリップグロス液１１が収容されている円筒形状の細長い化粧料容器で、容器１０の内径より小さい筆軸挿入用の口部１２の外周には雄ねじ部１３が形成されて、筆軸３０に一体化したキャップ３２の雌ねじ部３３が螺合できるように構成されている。
【００１４】
一方、口部１２の内側には、可撓性に富む合成樹脂製の円筒形状の中栓１４が嵌着されており、容器１０内に突出する中栓１４の内側下端部寄りには、筆軸３０の軸部３６を抜き出す際に、軸部３６に付着したリップグロス液１１を扱き落として清掃するワイパー１５が形成されている。
【００１５】
即ち、ワイパー１５は、中栓１４の内側から斜め下方に延出して下端側程口径が小さい先細円筒型（従来のワイパーを示す図１０参照）に形成されている。ワイパー１５の先端部には、周方向等分４カ所に縦スリット１５ａ（図４参照）が設けられて、ワイパー１５の可撓性が高められており、スリット１５ａによって周方向に分割された各分割片が筆軸３０の軸部３６外表面に密着して軸部３６に付着したリップグロス液を扱く扱き部１５ｂを構成している。
【００１６】
また、筆軸３０の軸部３６の先端には、先端側が縮径する金属（例えばアルミニウム）製の円筒形状の口金４０を介して筆毛部３８が固定されている。口金４０は、軸部３６と同一の外径に形成された後端側の基端部４１と、先端側ほど縮径するテーパ形状の先端部４２で構成されている。
【００１７】
また、筆毛部３８は、先端ほど細い１本１本の毛（天然の獣毛や一般にブリッスルと称される合成樹脂製の人工の毛）を集束して、その後端部３８ａを結束（獣毛の場合は接着剤により接合、ブリッスルの場合は溶着または接着剤により接合）することで、筆毛結束ユニットとして結束一体化したもので、その横断面は、先端側ほど小さくなっている。そして、筆毛部３８を口金４０の後端側からその先端部が口金４０の前方に突出するように挿通し、筆毛部３８後端部が接着剤４４により口金４０内側に固定されている。
【００１８】
そして、この筆毛部３８を一体化した口金４０の後端部に、軸部３６の先端部を圧入するとともに、口金４０の後端部が周方向３カ所においてダボカシメにより固定されている。図２符号３６ａは、軸部３６の先端に設けられた突起で、筆毛部３８の後端部３８ａに当接して筆毛部３８が口金４０内でがたつかないように保持するためのものである。
【００１９】
口金４０の後端側の基端部４１の外径は、軸部３６と面一に形成されて、ワイパー１４のしごき作用を妨げない。一方、口金４０の先端部４２は、筆軸３０（口金４０）をワイパー１５の開口にスムーズに挿入できるように、また筆毛部３８の外周面を均一に把持できるように、筆毛部３８の側面形状に倣ったテーパ形状に形成されている。
【００２０】
また、口金４０の基端部４１の厚さは軸方向に均一であるが、テーパ形状の先端部４２の厚さは、先端側に行くほど徐々に半径方向内側に向けて肉厚に形成されて、口金４０の先端開口面積Ｓ２は、図４に示すように、口金４０全体を均一の厚さに形成した場合の先端開口面積Ｓ２’に比べて肉厚にした分だけ狭められている。例えば、口金４０の基端部４１の厚さｔ１は０．０２ｍｍ、先端部４２の厚さｔ２は０．０２ｍｍから先端側に行くほど徐々に厚くなって、開口周縁部の厚さは０．０４ｍｍとなっている。
【００２１】
このため、図４に示すように、ワイパー１５の開口面積Ｓ１に対する口金先端開口面積Ｓ２が狭い分、口金４０から延出する筆毛部３８全体の横断面積Ｓ３も狭められて、筆軸３０を液体化粧料容器１０の口部１２に挿入する際に、筆毛部３８の側面３８ｂがワイパー開口周縁部１５ｂと干渉しにくい。
【００２２】
したがって、筆毛部３８をワイパー１５の開口周縁部と干渉させることなく筆軸３０（筆毛部３８）を液体化粧料容器１０内に挿入できるので、筆軸３０を容器１０に挿入する際に筆毛部３８の側面３８ａがワイパー開口周縁部１５ｂと干渉して発生する折れ毛が原因で、筆軸３０を容器１０内にスムーズに挿入できないとか、化粧料１１の適切な塗布ができない等の不具合がない。
【００２３】
また、ワイパー１５の開口面積Ｓ１に対する口金４０（の基端部４１）の占める面積Ｓ４は従来と同じであるため、筆軸３０を抜き出す際にはワイパー１５によって軸部３６や口金４０に付着した余分の化粧料が確実にしごき落とされるので、軸部３６や口金４０に付着した化粧料によって手がべとつくという不具合もない。
【００２４】
図５および図６は、本発明の第２の実施例を示し、図５（ａ）は本発明の第２の実施例である液体化粧料塗布具の縦断面図、図（ｂ）は図５（ａ）に示す線Ｖ−Ｖに沿う断面図、図６は口金の横断面図（図５（ａ）に示す線ＶI−ＶIに沿う断面図）である。
【００２５】
前記実施例では、口金４０の先端部４２が円形で、口金４０から延出する筆毛部３８の横断面も円形の丸筆で筆軸３０を構成した場合について説明したが、この第２の実施例では、口金４０Ａの先端開口部の横断面が扁平な形状で、口金４０Ａから延出する筆毛部３８の横断面も扁平な形状の平筆で筆軸３０Ａが構成されている。
【００２６】
即ち、筒形状の口金４０Ａの後端側の基端部４１Ａは、前記した第１の実施例における口金４０の基端部４１と同様の円筒形状であるが、口金４０Ａの先端側には、前方ほど上下幅が徐々に縮径するテーパ部４２Ａ１と、外形が軸方向に均一横断面なトラック形状の最先端部４２Ａ２とが設けられている。
【００２７】
そして、最先端部４２Ａ２における開口長手方向（開口左右方向）に対向する側縁部領域４２ａを除いた口金４０Ａ全体が均一の厚さ（例えば、ｔ１＝０．０２ｍｍ）に形成されているが、最先端部４２Ａ２における側縁部領域４２ａにおける厚さｔ２は、テーパ部４２Ａ１近傍の厚さ０．０２ｍｍから先端側ほど徐々に厚くなって、開口周縁部４２ａでの厚さが例えば０．０４ｍｍとなっている。
【００２８】
この第２の実施例においても、口金４０Ａの先端開口部の長手方向（開口左右方向）の間隔ｄが狭められた分、口金４０Ａから延出する筆毛部３８の扁平方向の幅ｄもそれだけ狭められて、平筆を液体化粧料容器１０の口部１２に挿入する際に、筆毛部３８の側面のワイパー開口周縁部１５ｂとの干渉が回避されて、折れ毛の発生が抑制される。
【００２９】
図７および図８は本発明の第３の実施例を示し、図７（ａ），（ｂ）は本発明の第３の実施例である液体化粧料塗布具の縦断面図で、図（ｂ）は図７（ａ）に示す線ＶII−ＶIIに沿う断面図、図８は口金の横断面図（図７（ａ）に示す線ＶIII−ＶIIIに沿う断面図）である。
【００３０】
この第３の実施例では、口金４０Ｂの先端部４２Ｂを横断面楕円形状に形成した平筆で筆軸３０Ｂが構成されている。即ち、先端部４２Ｂは、その長径寸法が基端部４１Ｂの外径と同一で、短径寸法が先端側に行くほど徐々に小さくなる横断面楕円形状となっている。
【００３１】
そして、口金４０Ｂの横断面円形の基端部４１Ｂから縮径する横断面楕円形状の先端部４２Ｂまでが一部の領域を除いて均一の厚さ（例えば、ｔ１＝０．０２ｍｍ）に形成されているが、先端部４２Ｂの開口長手方向（開口左右方向）に対向する側縁部４２ａにおける厚さｔ２が、０．０２ｍｍから先端側ほど徐々に厚肉に形成されて、開口周縁部４２ａの厚さは例えば０．０４ｍｍとなって、口金４０の先端開口面積が狭められている。
【００３２】
この第３の実施例においても、口金先端開口部の長手方向の間隔が狭められた分、口金４０Ｂから延出する筆毛部３８の扁平方向の幅もそれだけ狭められて、平筆３０Ｂを液体化粧料容器１０の口部１２に挿入する際に、筆毛部３８の側面のワイパー開口周縁部１５ａとの干渉が回避されて、折れ毛の発生が抑制される。
【００３３】
なお、前記実施例では、本発明をリップグロス塗布具に適用した場合について説明したが、液体口紅塗布具やアイライナーやエナメル塗布具などの他の液体化粧料塗布具にも同様に適用できることはいうまでもない。
【００３４】
【発明の効果】
以上の説明から明かなように、請求項１，２に係る液体化粧料塗布具によれば、筆毛部をワイパー開口周縁部と干渉しないように筆軸を液体化粧料容器（の口部）内に挿入できるので、筆軸を容器（の口部）に挿入する際に筆毛側面がワイパー開口周縁部と干渉して発生する折れ毛が原因で、筆軸を容器内にスムーズに挿入できないとか、化粧料の適切な塗布ができない等の不具合がない。
【００３５】
また、ワイパーの開口面積に対する口金先端部外周の占める面積は従来と同じであるため、筆軸を抜き出す際にはワイパーによって筆軸や口金に付着した余分の化粧料がしごき落とされるので、化粧料によって手がべとつくという不具合もない。
【００３６】
また、筆毛を口金に固定一体化する作業が簡単になるとともに、筆毛部が口金によって的確に保持されて、筆毛が抜けたり口金内で筆毛部が勝手に移動したりする不具合もない。
【００３７】
請求項１によれば、筆毛部をワイパー開口周縁部と干渉させることなく筆軸（平筆）を液体化粧料容器の開口部に挿入できるので、折れ毛により筆軸（平筆）を容器内にスムーズに挿入できないとか、化粧料の適切な塗布ができない等の不具合がない。
【００３８】
請求項２によれば、筆毛部をワイパー開口周縁部と干渉させることなく筆軸（丸筆）を液体化粧料容器の開口部に挿入できるので、折れ毛により筆軸（丸筆）を容器内にスムーズに挿入できないとか、化粧料の適切な塗布ができない等の不具合がない。
【図面の簡単な説明】
【図１】本発明の第１の実施例である液体化粧料塗布具の縦断面図である。
【図２】口金の拡大縦断面図である。
【図３】口金の水平断面図（図２に示す線III−IIIに沿う断面図）である。
【図４】ワイパーと口金開口部の内径の大きさを示す図である。
【図５】（ａ）本発明の第２の実施例である液体化粧料塗布具の縦断面図である。
（ｂ）図５（ａ）に示す線Ｖ−Ｖに沿う断面図である。
【図６】口金の横断面図（図５（ａ）に示す線線ＶI−ＶIに沿う断面図）である。
【図７】（ａ）本発明の第３の実施例である液体化粧料塗布具の縦断面図である。
（ｂ）は図７（ａ）に示す線ＶII−ＶIIに沿う断面図である。
【図８】口金の横断面図（図７（ａ）に示す線ＶIII−ＶIIIに沿う断面図）である。
【図９】従来の液体化粧料塗布具の断面図である。
【図１０】従来の液体化粧料塗布具の問題点を説明する説明図である。
【符号の説明】
１０  化粧料容器
１１  液体化粧料であるリップグロス液
１２  筆軸挿入用の口部
１５  ワイパー
１５ａ  ワイパーのスリット
１５ｂ  ワイパーの扱き部
３０  筆軸(丸筆)
３０Ａ，３０Ｂ  筆軸（平筆）
３６  筆軸の軸部
３８  筆毛部
４０  口金
４２  口金先端部
Ｓ１  ワイパーの開口面積
Ｓ２  口金の先端開口面積
Ｓ３  口金から延出する筆毛部全体の横断面積
Ｓ４  口金外周の占める面積
【図１】
0003910428.tif 000002
【図２】
0003910428.tif 000003
【図３】
0003910428.tif 000004
【図４】
0003910428.tif 000005
【図５】
0003910428.tif 000006
【図６】
0003910428.tif 000007
【図７】
0003910428.tif 000008
【図８】
0003910428.tif 000009
【図９】
0003910428.tif 000010
【図１０】
0003910428.tif 000011